(57)【要約】【課題】居住用部屋と滞在用部屋とが混在する建物の開錠手段を、滞在用部屋の利用者にスムーズ且つ適切に渡す。【解決手段】建物は、居住契約期間だけ居住可能な居住用部屋と、居住契約期間よりも短い滞在契約期間だけ滞在可能な滞在用部屋と、建物のエントランス部に設置された電子錠とを有する。電子錠は、利用者が利用する部屋の種類に応じた開錠形式にて開錠される。建物に導入された利用者管理システムは、エントランス部に来た滞在用部屋の利用者に関する第一情報を取得し、滞在用部屋の利用者に関して予め登録された第二情報を記憶し、第一情報と第二情報とを参照して滞在用部屋の利用者が建物の本館部へ進むのを許可するか否かを判定し、滞在用部屋の利用者が本館部へ進むのを許可すると判定したとき、滞在用部屋に応じた開錠形式にて電子錠を開錠する開錠手段を滞在用部屋の利用者に渡すための処理を実行する。【選択図】図１０
2018049470.tif 000002
【特許請求の範囲】
【請求項１】
部屋を複数備えると共に、該部屋の利用者の出入を管理する利用者管理システムが導入された建物であって、
複数の前記部屋には、居住契約期間だけ居住可能な居住用部屋と、前記居住契約期間よりも短い滞在契約期間だけ滞在可能な滞在用部屋とが含まれており、
前記建物の入口部に設置され、利用者が前記部屋を利用するために前記建物中、前記入口部よりも奥側に位置する奥部へ進む際に開錠される錠機構が設けられ、
該錠機構は、利用者が利用する前記部屋の種類に応じた開錠形式にて開錠され、
前記利用者管理システムは、
前記入口部に来た前記滞在用部屋の利用者に関する第一情報を取得する取得部と、
前記滞在用部屋の利用者に関して予め登録された第二情報を記憶する記憶部と、
前記取得部が取得した前記第一情報と、前記記憶部に記憶された前記第二情報とを参照し、前記入口部に来た前記滞在用部屋の利用者が前記奥部へ進むのを許可するか否かを判定する判定部と、
前記滞在用部屋の利用者が前記奥部へ進むのを許可すると前記判定部が判定したときに、前記滞在用部屋に応じた前記開錠形式にて前記錠機構を開錠するために必要な手段を前記滞在用部屋の利用者に渡すための処理を実行する処理実行部と、を有することを特徴とする建物。
【請求項２】
前記滞在用部屋の鍵であるルームキーを収容するロッカーを更に有し、
前記処理実行部は、前記滞在用部屋の利用者が前記奥部へ進むのを許可すると前記判定部が判定したときに、前記ロッカーを開ける手段を前記滞在用部屋の利用者に提供するための処理を実行することを特徴とする請求項１に記載の建物。
【請求項３】
前記錠機構は、電子錠であり、
前記処理実行部は、前記滞在用部屋の利用者が前記奥部へ進むのを許可すると前記判定部が判定したときに、前記電子錠を開錠するための鍵であるエントランスキーを前記滞在用部屋の利用者に渡すための処理を実行することを特徴とする請求項１又は２に記載の建物。
【請求項４】
前記エントランスキーは、前記滞在用部屋の鍵であるルームキーとして兼用されることを特徴とする請求項３に記載の建物。
【請求項５】
前記取得部は、前記滞在用部屋の利用者が前記入口部にて記載した文書を読み取ることで前記第一情報を取得することを特徴とする請求項１乃至４のいずれか一項に記載の建物。
【請求項６】
前記記憶部は、前記奥部へ進むのを許可された前記滞在用部屋の利用者が記載した前記文書を前記取得部が読み取ることで取得した前記第一情報を、前記奥部へ進むのを許可された前記滞在用部屋の利用者に関する前記第二情報と紐付けて記憶することを特徴とする請求項５に記載の建物。
【請求項７】
前記建物の入口部には、前記錠機構を備えたドアが設けられており、
該ドアは、前記居住用部屋の利用者及び前記滞在用部屋の利用者がそれぞれ前記奥部へ進む際に通過するドアであることを特徴とする請求項１乃至６のいずれか一項に記載の建物。
【請求項８】
複数の部屋を備える建物に導入された利用者管理システムにより、前記部屋の利用者の出入を管理する利用者管理方法であって、
複数の前記部屋には、居住契約期間だけ居住可能な居住用部屋と、前記居住契約期間よりも短い滞在契約期間だけ滞在可能な滞在用部屋とが含まれており、
前記建物の入口部に設置され、利用者が前記部屋を利用するために前記建物中、前記入口部よりも奥側に位置する奥部に進む際に開錠される錠機構が設けられ、
該錠機構は、利用者が利用する前記部屋の種類に応じた開錠形式にて開錠され、
前記利用者管理システムにより、
前記入口部に来た前記滞在用部屋の利用者に関する第一情報を取得し、
前記滞在用部屋の利用者に関して予め登録された第二情報を記憶し、
取得した前記第一情報と、記憶された前記第二情報とを参照し、前記入口部に来た前記滞在用部屋の利用者が前記奥部へ進むのを許可するか否かを判定し、
前記滞在用部屋の利用者が前記奥部へ進むのを許可すると判定したときに、前記滞在用部屋に応じた前記開錠形式にて前記錠機構を開錠するために必要な手段を前記滞在用部屋の利用者に渡すための処理を実行することを特徴とする利用者管理方法。
【発明の詳細な説明】
【技術分野】
【０００１】
本発明は、建物、及び当該建物に導入された利用者管理システムによる利用者管理方法に係り、特に、利用目的が異なる複数の部屋の各利用者の出入を管理することが可能な建物及び利用者管理方法に関する。
【背景技術】
【０００２】
１棟内に複数の部屋が設けられた建物は、集合住宅をはじめ、既に周知である。このような建物において各部屋を様々な目的で利用することがあり、例えば、ある部屋を居住空間として利用し、他の部屋を滞在空間として利用することが考えられる。このように同一建物内に設けられた複数の部屋の各々について利用者を募り、その利用者のニーズに応じた態様にて各部屋を提供する（貸し出す）というビジネスモデルは、既に特許文献１等に開示されている。具体的に説明すると、特許文献１には、サークルハウスフロアとサークルキューブフロアとを有するサークルクラブハウスを用いたビジネスモデルが開示されている。具体的に説明すると、特許文献１に記載のサークルクラブハウスでは、サークルハウスフロアが居住可能な部屋として提供され、また、サークルキューブフロアが居住以外の各種パーソナルユース専用の個室として提供されることになっている。
【先行技術文献】
【特許文献】
【０００３】
【特許文献１】特開２００９−３６２６号公報
【発明の概要】
【発明が解決しようとする課題】
【０００４】
ところで、上述のビジネスモデルにおいて、建物の一室を滞在用部屋として提供する場合、その部屋の利用者は、通常、建物内の入口部（エントランス）で所定の入室手続を行うことになる。より具体的に説明すると、滞在用部屋の利用者が当該部屋を利用するために入口部よりも奥側へ進むにあたり、利用者の本人確認等の確認手続が行われる。利用者本人であることが確認できた場合には、当該利用者に鍵等の開錠手段が渡される。そして、利用者は、入口部に設置された錠機構を上記の開錠手段にて開錠して建物の奥部へ進む。
【０００５】
以上のように建物内の滞在用部屋を利用する場合、その利用者は、建物内の入口部で一連の手続を経て開錠手段を取得することになる。この際、開錠手段を取得するために行われる手続については、スムーズ且つ適切に行われる必要がある。
【０００６】
そこで、本発明は、上記の課題に鑑みてなされたものであり、その目的とするところは、建物が有する複数の部屋の一部を滞在用部屋として利用する際、その利用者に開錠手段を渡すための一連の手続をスムーズ且つ適切に行うことが可能な建物及び利用者管理方法を提供することである。
【課題を解決するための手段】
【０００７】
前記課題は、本発明の建物によれば、部屋を複数備えると共に、該部屋の利用者の出入を管理する利用者管理システムが導入された建物であって、複数の前記部屋には、居住契約期間だけ居住可能な居住用部屋と、前記居住契約期間よりも短い滞在契約期間だけ滞在可能な滞在用部屋とが含まれており、前記建物の入口部に設置され、利用者が前記部屋を利用するために前記建物中、前記入口部よりも奥側に位置する奥部へ進む際に開錠される錠機構が設けられ、該錠機構は、利用者が利用する前記部屋の種類に応じた開錠形式にて開錠され、前記利用者管理システムは、前記入口部に来た前記滞在用部屋の利用者に関する第一情報を取得する取得部と、前記滞在用部屋の利用者に関して予め登録された第二情報を記憶する記憶部と、前記取得部が取得した前記第一情報と、前記記憶部に記憶された前記第二情報とを参照し、前記入口部に来た前記滞在用部屋の利用者が前記奥部へ進むのを許可するか否かを判定する判定部と、前記滞在用部屋の利用者が前記奥部へ進むのを許可すると前記判定部が判定したときに、前記滞在用部屋に応じた前記開錠形式にて前記錠機構を開錠するために必要な手段を前記滞在用部屋の利用者に渡すための処理を実行する処理実行部と、を有することにより解決される。
【０００８】
上記の構成を有する本発明の建物では、当該建物の入口部に滞在用部屋の利用者が来ると、利用者管理システムの機能により、その利用者に関する情報（第一情報）を取得する。その後、利用者管理システムは、取得した第一情報と、上記の利用者に関して予め登録された情報（第二情報）とを参照し、当該利用者が建物内の奥部へ進むのを許可するか否かを判定する。そして、利用者（厳密には、滞在用部屋の利用者）が建物内の奥部へ進むのを許可する場合、利用者管理システムは、入口部の錠機構を開錠するために必要な手段（開錠手段）を当該利用者に渡すための処理を実行する。これにより、建物の入口部に居る者が滞在用部屋の利用者として事前に登録された者であることを条件として、その者に開錠手段を適切に渡すことが可能となる。また、開錠手段を渡すための一連の手続が利用者管理システムによって行われるため、当該手続がスムーズに行われるようになる。より詳しくは、上記一連の手続を無人で対応することが可能となるため、結果として、当該手続に要する手間や労力が軽減されるようになる。
【０００９】
また、上記の建物において、前記滞在用部屋の鍵であるルームキーを収容するロッカーを更に有し、前記処理実行部は、前記滞在用部屋の利用者が前記奥部へ進むのを許可すると前記判定部が判定したときに、前記ロッカーを開ける手段を前記滞在用部屋の利用者に提供するための処理を実行してもよい。
上記の構成では、滞在用部屋のルームキーを滞在用部屋の利用者に渡すための一連の手続が利用者管理システムによって行われる。これにより、ルームキーを渡すための一連の手続がスムーズ且つ適切に行われるようになる。
【００１０】
また、上記の建物において、前記錠機構は、電子錠であり、前記処理実行部は、前記滞在用部屋の利用者が前記奥部へ進むのを許可すると前記判定部が判定したときに、前記電子錠を開錠するための鍵であるエントランスキーを前記滞在用部屋の利用者に渡すための処理を実行してもよい。
上記の構成によれば、開錠手段としてのエントランスキーを滞在用部屋の利用者に渡すための一連の処理がスムーズ且つ適切に行われるようになる。
【００１１】
また、上記の建物において、前記エントランスキーは、前記滞在用部屋の鍵であるルームキーとして兼用されると、より好適である。
上記の構成では、開錠手段としてのエントランスキーを滞在用部屋の利用者に渡すための手続と、滞在用部屋のルームキーを渡すための手続とがまとめて行われるので、これらの手続を別々に行う場合に比べて、手続に要する手間や時間を軽減することが可能となる。
【００１２】
また、上記の建物において、前記取得部は、前記滞在用部屋の利用者が前記入口部にて記載した文書を読み取ることで前記第一情報を取得してもよい。
上記の構成では、滞在用部屋の利用者に関する情報（第一情報）を、当該利用者が建物の入口部にて記載した文書を読み取ることで適切に取得することが可能となる。
【００１３】
また、上記の建物において、前記記憶部は、前記奥部へ進むのを許可された前記滞在用部屋の利用者が記載した前記文書を前記取得部が読み取ることで取得した前記第一情報を、前記奥部へ進むのを許可された前記滞在用部屋の利用者に関する前記第二情報と紐付けて記憶すると、より好適である。
上記の構成では、建物の奥部に進むことを許可された滞在用部屋の利用者について、当該利用者により記載された文書を読み取ることで取得した第一情報を、当該利用者の第二情報と紐付けられた状態で記憶部に記憶する。このように第一情報及び第二情報の双方が記憶された利用者については、建物の奥部に進むのを許可されたことがあるので、以後に滞在用部屋を再び利用する際には、開錠手段を渡すための手続を簡略化することが可能となる。
【００１４】
また、上記の建物において、前記建物の入口部には、前記錠機構を備えたドアが設けられており、該ドアは、前記居住用部屋の利用者及び前記滞在用部屋の利用者がそれぞれ前記奥部へ進む際に通過するドアであってもよい。
上記の構成では、居住用部屋にアクセスするためのドアと、滞在用部屋にアクセスするためのドアとを別々に設ける必要がなく、その分、建物の建設コストを抑えることが可能となる。また、建物内の複数の部屋のうち、居住用部屋に該当する部屋及び滞在用部屋に該当する部屋が変更された場合であっても、ドアが共通のドアであるため、各部屋にアクセスするためのドアについては変更することがない。この結果、利用者は、利用対象の部屋に適切に向かえるようになる。
【００１５】
また、前述の課題は、本発明の利用者管理方法によれば、複数の部屋を備える建物に導入された利用者管理システムにより、前記部屋の利用者の出入を管理する利用者管理方法であって、複数の前記部屋には、居住契約期間だけ居住可能な居住用部屋と、前記居住契約期間よりも短い滞在契約期間だけ滞在可能な滞在用部屋とが含まれており、前記建物の入口部に設置され、利用者が前記部屋を利用するために前記建物中、前記入口部よりも奥側に位置する奥部に進む際に開錠される錠機構が設けられ、該錠機構は、利用者が利用する前記部屋の種類に応じた開錠形式にて開錠され、前記利用者管理システムにより、前記入口部に来た前記滞在用部屋の利用者に関する第一情報を取得し、前記滞在用部屋の利用者に関して予め登録された第二情報を記憶し、取得した前記第一情報と、記憶された前記第二情報とを参照し、前記入口部に来た前記滞在用部屋の利用者が前記奥部へ進むのを許可するか否かを判定し、前記滞在用部屋の利用者が前記奥部へ進むのを許可すると判定したときに、前記滞在用部屋に応じた前記開錠形式にて前記錠機構を開錠するために必要な手段を前記滞在用部屋の利用者に渡すための処理を実行することにより解決される。
上記の方法であれば、建物が有する複数の部屋の一部を滞在用部屋として利用する際、その利用者に開錠手段をスムーズ且つ適切に渡すことが可能となる。
【発明の効果】
【００１６】
本発明によれば、居住用部屋と滞在用部屋とが混在する建物に滞在用部屋の利用者が訪れた際に、当該利用者に、建物の入口部に設けられた錠機構を開錠するための手段をスムーズ且つ適切に渡すことが可能となる。
【図面の簡単な説明】
【００１７】
【図１】本発明の一実施形態に係る建物の外観図である。
【図２】本発明の一実施形態に係る建物の１階の構成を示す平面図である。
【図３】本発明の一実施形態に係る建物の２階及び３階の構成を示す平面図である。
【図４】部屋の間取りの一例を示す図である。
【図５】建物に設置された電力供給設備についての説明図である。
【図６】利用者管理システムの構成を示す図である。
【図７】入口部の構成を示す平面図である。
【図８】管理サーバの機能についての説明図である。
【図９】申込みフローの流れを示す図である。
【図１０】受付フローの流れを示す図である。
【発明を実施するための形態】
【００１８】
以下、本発明の一実施形態（以下、本実施形態）に係る建物及び利用者管理方法について図面を参照しながら説明する。なお、以下に説明する実施形態は、本発明の理解を容易にするための一例であり、本発明を限定するものではない。すなわち、本発明は、その趣旨を逸脱することなく、変更、改良され得ると共に、本発明にその等価物が含まれることは勿論である。
【００１９】
また、以下の説明において、「居住」とは、定住を意味し、本実施形態では、通常の賃貸借契約（居住契約）に従って契約対象物件に住む（賃借する）ことである。また、「滞在」とは、短期又は中期の滞在（具体的には、一週間から数カ月程度の滞在）を意味し、本実施形態では、定期借家契約（滞在契約）に従って契約対象物件に住むこと（賃借する）である。なお、本発明における「滞在」には、１日から数日程度の滞在（宿泊）が含まれることとする。
【００２０】
＜＜本実施形態に係る建物の概要＞＞
先ず、本実施形態に係る建物（以下、建物１０）について、その概要を図１〜３を参照しながら説明する。図１は、建物１０の外観図である。図２、３は、建物１０の各階の構成を示す平面図であり、図２は、１階の平面図であり、図３は、２階及び３階の平面図である。
【００２１】
建物１０は、図１に示すように複数階建ての建物であり、各階には複数の部屋が設けられている。より具体的に説明すると、本実施形態に係る建物１０は、一棟３階建ての建物であり、一般的な集合住宅と同様の構造となっている。なお、建物１０の階数については、特に限定されるものではない。
【００２２】
また、各階には、図２及び３に示すように複数の部屋が設けられている。より具体的に説明すると、各部屋は、共用廊下に沿って列状に配置されており、部屋間に配置された隔壁にて区画されている。なお、本実施形態において、各部屋の構造は、集合住宅の一部屋（住居単位としての部屋）と略同様の構造となっている。
【００２３】
そして、建物１０における各階の部屋は、階毎に利用用途が異なっている。具体的に説明すると、３階にある部屋は、居住契約期間（例えば、数十年の期間）中、居住可能な居住用部屋として利用され、厳密には一括借り上げ型の一般賃貸物件である。２階又は１階にある部屋は、居住契約期間よりも短い滞在契約期間だけ滞在可能な滞在用部屋として利用される。より詳しく説明すると、１階にある部屋は、短期間（例えば１週間程度）の滞在を目的として利用される「ウィークリーマンション型」の部屋である。２階にある部屋は、中期間（例えば１カ月程度）の滞在を目的として利用される「マンスリーマンション型」の部屋である。
【００２４】
なお、各階の部屋の利用用途は、上記の内容に限定されるものではなく、例えば、３階又は２階にある部屋が滞在用部屋として利用され、１階にある部屋が居住用部屋として利用されてもよい。また、各部屋の利用契約期間（居住契約期間や滞在契約期間）についても特に限定されるものではなく、滞在契約期間が居住契約期間よりも短くなっている限り、任意に決定することが可能である。したがって、例えば、建物１０の各部屋を宿泊用部屋（ゲストルーム）として利用することも可能である。
【００２５】
また、本実施形態では、各階の部屋の利用用途を状況に応じて変更することが可能である。具体的に説明すると、３階にある部屋は、原則として、居住用部屋として利用されるが、滞在用部屋の利用者が多く２階及び１階の部屋だけでは足りない状況では、滞在用部屋として利用することが可能である。また、１階にある部屋は、原則として、短期滞在可能な滞在用部屋として利用されるが、中期滞在目的で滞在用部屋を利用する利用者が多く２階の部屋だけでは足りない状況では、中期滞在可能な滞在用部屋として利用することが可能である。同様に、２階にある部屋は、原則として、中期滞在可能な滞在用部屋として利用されるが、短期滞在目的で滞在用部屋を利用する利用者が多く１階の部屋だけでは足りない状況では、短期滞在可能な滞在用部屋として利用することが可能である。
【００２６】
建物１０の部屋の運営内容について概説すると、運営会社は、部屋利用者（利用者）に利用用途に応じて建物１０の各部屋を賃貸し、その利用料（賃貸料）を部屋利用者から取得し、その一部を建物１０のオーナーに対して支払う。より詳しく説明すると、本実施形態において、建物１０の部屋のうち、３階にある部屋は、一般的な賃貸契約、具体的には一括借り上げ契約に則って運営される。２階にある部屋（マンスリーマンション型の部屋）は、一括借り上げ契約に則って運営される。１階にある部屋（ウィークリーマンション型の部屋）は、旅館業法が適用され、同法規に則った賃貸契約に則って運営される。なお、運営内容については、特に限定されるものではなく、法令に則った範囲内で自由に決定してもよい。
【００２７】
＜＜建物の構造について＞＞
次に、建物１０の詳細構造について既出の図１〜３、及び図４、５を参照しながら説明する。図４は、部屋の間取りの一例を示す図である。図５は、建物１０に設置された電力供給設備についての説明図である。
【００２８】
建物１０は、図１に示すように、入口部としてのエントランス部１１と、利用対象（契約対象）の部屋が設けられている本館部１２と、を有する。エントランス部１１は、部屋利用者が建物１０の奥部、すなわち本館部１２に入る際に必ず立ち寄る部分である。また、エントランス部１１は、建物１０に一つのみ設けられている。したがって、宿泊用部屋の利用者及び滞在用部屋の利用者は、いずれも、同じエントランス部１１を通過して自分が利用する部屋に向かうことになる。なお、エントランス部１１の詳細については、後の項で説明することとする。
【００２９】
本館部１２は、建物１０中、エントランス部１１よりも奥側に位置する奥部に相当し、前述したように複数階建てとなっている。また、図２及び３に示すように、各階には共用廊下２０と、共用廊下２０に沿って並ぶ複数の部屋（以下、部屋２１という）とが設けられている。共用廊下２０は、直線状に延びており、その端部（厳密には、エントランス部１１寄りの端部）には階段２２が設けられている。本実施形態において、各階の階段２２は、１階から最上階（３階）まで連続するように設けられている。また、図２に示すように、１階の階段２２は、エントランス部１１と隣り合う位置に設けられている。これにより、２階又は３階の部屋２１部屋２１を利用する部屋利用者は、エントランス部１１に設けられたドア１３を通過した後、直ちに階段２２を通じて自分が利用する部屋の階へ直接アクセスするようになる。なお、階段２２の代わりにエレベータやエスカレータ等の昇降設備が設けられていてもよい。
【００３０】
各階の部屋２１の間取りについて説明すると、各部屋２１は、図４に示すように、ウォークインクローゼットタイプの間取りとなっている。また、本実施形態において、各階の部屋２１（厳密には、角部屋を除く）の間取りは、部屋間で共通している。このように部屋間で間取りが共通していることで、前述したように、部屋の利用用途の変更（滞在用部屋を居住用部屋に変更したり、居住用部屋を滞在用部屋に変更すること）が容易に実現されるようになる。なお、図４に図示の間取りは、あくまでも一例であり、任意に決めることが可能である。
【００３１】
また、建物１０の部屋のうち、居住用部屋の施錠及び開錠は、居住用部屋の利用者が携帯する専用キー（通常住居用の鍵）によって行われる。一方で、滞在用部屋の施錠及び開錠は、カード型のルームキーによって行われる。滞在用部屋の利用者は、部屋利用を開始するにあたり上記のルームキーを取得し、部屋利用を終了する際には所定の返却手続を行って上記のルームキーを返却する。
【００３２】
また、本館部１２には、電力供給設備としての太陽光発電装置２３と蓄電池２４とが設置されている。すなわち、建物１０は、電力会社から送電される電力を受電して各部屋２１に供給すると共に、太陽光発電装置２３及び蓄電池２４からの供給電力を建物１０内で利用する。より詳しく説明すると、図５に示すように、太陽光発電装置２３の発電電力は蓄電池２４に蓄電され、蓄電池２４からの放電電力が各部屋２１や建物１０内の共用設備にて消費される。また、本実施形態では、蓄電池２４に蓄電された電力のうち、余剰電力を電力会社に売る（売電する）ことが可能である。
【００３３】
さらに、図５に示すように、滞在用部屋（厳密には、１階及び２階の各部屋２１）には蓄電池２４が部屋別に設置されている。滞在用部屋の利用者は、部屋利用を開始するにあたり蓄電池２４をオンし、部屋利用を終了する際に蓄電池２４をオフにする。なお、滞在用部屋の利用期間中に当該滞在用部屋での余剰電力を売電することで得られる収益については、運営会社の運営コストに充てられることになっている。
【００３４】
＜＜利用者管理システム＞＞
次に、建物１０に導入されている利用者管理システムＳについて図６〜８を参照しながら説明する。図６は、利用者管理システムＳの構成を示すブロック図である。図７は、エントランス部１１の構成を示す平面図である。図８は、後述する管理サーバ３０の機能についての説明図である。
【００３５】
利用者管理システムＳは、建物１０における部屋利用者の出入を管理するために構築された通信システムである。利用者管理システムＳは、図６に図示した機器によって構成されている。ここで、システム構成機器について概説すると、システム構成機器は、建物１０のエントランス部１１に設置された機器と、管理サーバ３０と、ユーザ端末４０とに大別される。
【００３６】
先ず、建物１０のエントランス部１１に設置されたシステム構成機器について説明するにあたり、エントランス部１１の詳細構成について説明する。エントランス部１１には、図７に示すように、ドア１３と、受付部１４と、帳簿読取装置１５と、ロッカー１６と、インターホン１７と、防犯カメラ１８と、カードリーダ１９とが設置されている。
【００３７】
ドア１３は、自動ドアによって構成されている。また、ドア１３には、錠機構としての電子錠１３ａが備えられており、電子錠１３ａがアンロックになることで開閉自在となる。より詳しく説明すると、電子錠１３ａは、エントランス部１１に設置され、通常、ロック状態（施錠状態）となっている。そして、各部屋利用者は、部屋２１を利用するために本館部１２へ進む際、当該部屋利用者が利用する部屋の種類に応じた開錠形式にて開錠する。具体的に説明すると、居住用部屋の利用者は、専用キーを不図示の差し込み口に差し込むことで電子錠１３ａを開錠する。また、滞在用部屋の利用者は、カードキーをカードリーダ１９に読み取らせることで電子錠１３ａを開錠する。
【００３８】
さらに、本実施形態において、ドア１３は、建物１０内に一つのみ設けられている。つまり、居住用部屋の利用者及び滞在用部屋の利用者は、それぞれ本館部１２へ進む際に、同じドア１３を通過することになる。換言すると、利用者が居住用部屋にアクセスする際に通過するドアと、利用者が滞在用部屋にアクセスする際に通過するドアと、が共通している。これにより、居住用部屋及び滞在用部屋のそれぞれに対してドアを別々に設けられる場合と比較して、建物１０の建設コストを抑えることが可能となる。また、ドアを共通にすることで、居住用部屋の利用者及び滞在用部屋の利用者の各々について、エントランス部１１における動線が単純化される。この結果、エントランス部１１における各利用者の動きを制御し易くなり、建物１０のセキュリティ性を高めることが可能となる。
【００３９】
さらに、ドアを共通化することにより、各部屋２１の利用用途の変更に柔軟に対応することが可能となる。具体的に説明すると、前述したように、本実施形態では建物１０内の各部屋２１の利用用途を状況に応じて変更することができるため、ある時点で居住用部屋（滞在用部屋）に該当していた部屋２１が別の時点では滞在用部屋（居住用部屋）に変わっている場合がある。かかる場合においてもドア１３が共通のドアであるため、各部屋にアクセスする際に通過するドアについては変更することがない。この結果、部屋利用者は、適切に（間違えずに）利用対象の部屋へ向かえるようになる。
【００４０】
受付部１４は、カウンター台によって構成されており、その上には帳簿Ｂが載置されている。この帳簿Ｂには、滞在用部屋の利用者が必要事項を記載する。帳簿Ｂに記載される情報は、滞在用部屋の利用者に関する文字情報（文書）であり、本発明の第一情報に該当する。具体的に説明すると、滞在用部屋の利用者は、自分の名前、住所、生年月日、年齢、性別、職業、部屋の利用期間、同行者の有無、同行者がいる場合にはその者の名前等を帳簿Ｂに記載する。なお、受付部１４は、動線制御上、エントランス部１１において利用者がドア１３に向かう際の移動経路から外れた位置に設置されているのが望ましい。
【００４１】
帳簿読取装置１５は、スキャナによって構成されており、帳簿Ｂと共に受付部１４の上に載せられている。この帳簿読取装置１５は、管理サーバ３０と共に本発明の取得部を構成するものであり、滞在用部屋の利用者が帳簿Ｂに記載した文書を読み取る。具体的に説明すると、滞在用部屋の利用者は、帳簿Ｂに必要事項を記載した後、帳簿読取装置１５を操作して帳簿Ｂの文書（自分が記載した文書）を読み取らせる。そして、帳簿読取装置１５は、読み取った文書のデータ（画像データ）を管理サーバ３０に伝送する。
【００４２】
ロッカー１６は、滞在用部屋の利用者が使用するカードキーを収容（厳密には保管）するものである。詳しく説明すると、滞在用部屋の利用者は、部屋利用を開始するにあたりロッカー１６中のボックスを開けてカードキーを取得する。なお、ロッカー１６の各ボックスは、通常、施錠されており、滞在用部屋の利用者がロッカー１６に設けられた入力部（不図示）に暗証番号を入力することで開錠する。
【００４３】
インターホン１７は、滞在用部屋の利用者がエントランス部１１に来た際に当該利用者によって押される。そして、インターホン１７が押されると、これをトリガーにして、管理サーバ３０が後述の受付フローを実行するようになる。防犯カメラ１８は、例えば全方位撮像カメラによって構成され、エントランス部１１全域を常時撮影する。そして、防犯カメラ１８は、撮影した映像のデータを逐次、管理サーバ３０に伝送する。
【００４４】
カードリーダ１９は、カードキーを読み取った際に電子錠１３ａに向けて開錠信号を送信する。電子錠１３ａは、施錠状態にあるときに開錠信号を受信すると開錠し、その時点から数秒間だけ開錠状態に維持される。なお、本実施形態において、カードキーは、電子錠１３ａを開錠するための鍵であるエントランスキーであるとともに、滞在用部屋の鍵であるルームキーとして兼用されることになっている。ただし、これに限定されるものではなく、エントランスキーとルームキーが別々に用意されてもよい。
【００４５】
次に、利用者管理システムＳを構成する機器のうち、管理サーバ３０及びユーザ端末４０について説明する。管理サーバ３０は、コンピュータによって構成され、具体的には運営会社が保有するサーバコンピュータからなる。管理サーバ３０は、一般的なコンピュータと同様、ＣＰＵと、ＲＯＭやＲＡＭ等のメモリと、ハードディスクドライブと、通信用インタフェースとを備えている。また、管理サーバ３０を構成するサーバコンピュータには、管理サーバ３０としての機能を発揮させるためのプログラム（以下、利用者管理プログラム）がインストールされている。この利用者管理プログラムがＣＰＵによって読み出されて実行されることで、管理サーバ３０を構成するサーバコンピュータは、部屋利用者の出入りを管理するための一連の処理を実行するようになる。
【００４６】
ユーザ端末４０は、滞在用部屋の利用者が部屋利用を申し込む際に用いるものであり、パソコン、スマートフォン、タブレット端末及び携帯電話等によって構成されている。ユーザ端末４０は、インターネット等の外部通信網を介して管理サーバ３０と通信可能であり、滞在用部屋の利用者が部屋利用を申し込む際に行う入力操作を受け付け、当該入力操作に応じた情報（入力情報）を管理サーバ３０に向けて送信する。この入力情報は、滞在用部屋の利用者が部屋利用前（例えば、利用開始日の前日まで）に予め入力する文字情報であり、本発明の第二情報に相当する。具体的に説明すると、滞在用部屋の利用者は、自分の名前、住所、生年月日、年齢、性別、職業、部屋の利用期間、同行者の有無、同行者がいる場合にはその者の名前等を、ユーザ端末４０を通じて入力する。
【００４７】
次に、管理サーバ３０の構成を機能面から改めて説明する。管理サーバ３０は、図８に示すように、取得部３１と、記憶部３２と、判定部３３と、処理実行部３４とを有する。これらの機能部は、管理サーバ３０を構成するサーバコンピュータのハードウェア機器がソフトウェアとしての利用者管理プログラムと協働することで実現される。以下、各機能部について、それぞれ説明する。
【００４８】
取得部３１は、建物１０のエントランス部１１に設置された帳簿読取装置１５と連携し、エントランス部１１に来た滞在用部屋の利用者に関する情報（第一情報）を取得する。具体的に説明すると、取得部３１は、帳簿読取装置１５が読み取った文書の画像データを帳簿読取装置１５から受信し、当該画像データに対する解析（具体的には文字認識用の解析）を行う。これにより、取得部３１は、エントランス部１１に来た滞在用部屋の利用者に関する第一情報を取得する。
【００４９】
記憶部３２は、滞在用部屋の利用者に関して予め登録された情報（第二情報）を記憶する。具体的に説明すると、滞在用部屋の利用者は、前述したように、部屋利用開始の前日までにユーザ端末４０を通じて部屋利用を申し込む。その際、滞在用部屋の利用者は、ユーザ端末４０を操作して、自分の名前や利用期間等を含む各種情報を入力する。そして、入力情報は、ユーザ端末４０から管理サーバ３０に向けて送信される。管理サーバ３０が入力情報をユーザ端末４０から受信すると、記憶部３２は、上記の入力情報を登録情報（第二情報）として記憶するようになる。
【００５０】
また、記憶部３２は、エントランス部１１に居る滞在用部屋の利用者が所定の条件が満たすとき、当該利用者について取得部３１が取得した情報（第一情報）を、当該利用者に関する情報として事前に登録していた情報（第二情報）と紐付けて記憶する。
【００５１】
判定部３３は、エントランス部１１に来た滞在用部屋の利用者が本館部１２へ進むのを許可するか否かを判定する。具体的に説明すると、滞在用部屋の利用者がエントランス部１１に来た際、判定部３３は、当該利用者について取得部３１が取得した第一情報と、記憶部３２に記憶された第二情報とを参照し、当該利用者の本館部１２への進入の可否を判定する。より詳しく説明すると、エントランス部１１に来た滞在用部屋の利用者について取得部３１が第一情報を取得すると、判定部３３は、記憶部３２に記憶された第二情報中、第一情報と同じ利用者に関する情報があるかどうかを確認する。そして、第一情報と同じ利用者に関する情報が記憶部３２に既に記憶されている場合、判定部３３は、エントランス部１１に来た滞在用部屋の利用者が本館部１２に入るのを許可する。
【００５２】
処理実行部３４は、滞在用部屋の利用者が本館部１２へ進むのを許可すると判定部３３が判定したときに、鍵渡し処理を実行する。「鍵渡し処理」とは、滞在用部屋に応じた開錠形式にて電子錠１３ａを開錠するために必要な手段を、エントランス部１１に居る滞在用部屋の利用者に渡すための処理である。より具体的に説明すると、鍵渡し処理は、電子錠１３ａを開錠するための鍵であるカードキーを滞在用部屋の利用者に渡すための処理である。さらに詳しく説明すると、本実施形態における鍵渡し処理は、カードキーが収容されたロッカー１６を開ける手段を滞在用部屋の利用者に提供するための処理であり、厳密には、ロッカー開錠用の暗証番号を滞在用部屋の利用者に通知する処理である。
【００５３】
なお、本実施形態において、処理実行部３４は、ロッカー開錠用の暗証番号を滞在用部屋の利用者に通知するために、当該暗証番号を不図示のディスプレイに表示させる。ただし、これに限定されるものではなく、音声発生装置を通じて上記の暗証番号を音声にて知らせてもよい。あるいは、不図示の印刷機にて暗証番号を印刷した券や紙片（シート）を出力して知らせてもよい。また、本実施形態では、鍵渡し処理においてロッカー開錠用の暗証番号を通知することとしたが、不図示のカードホルダからカードキーを取り出して所定の取出し口まで搬送する鍵渡し処理を実行してもよい。あるいは、電子錠１３ａの開錠手段としてカードキー以外の鍵を提供してもよい。ここで、カードキー以外の鍵としては、有形の鍵（開錠機構を搭載した鍵）であってもよく、無形の鍵（暗証番号などの開錠用情報）であってもよい。
【００５４】
＜＜利用者管理システムの動作例＞＞
次に、利用者管理システムＳの動作例として、利用者管理システムＳによって部屋利用者（特に、滞在用部屋の利用者）の出入を管理する手順について説明する。すなわち、以下では、本発明の利用者管理方法について一例を挙げて説明し、具体的には、滞在用部屋の利用者が部屋利用を申し込む段階から建物１０にて滞在用部屋を利用する段階までの一連の流れについて説明することとする。
【００５５】
滞在用部屋の利用者が滞在用部屋を利用するにあたり、利用者管理システムＳでは、部屋利用申込み用のフロー（以下、申込みフロー）と、建物１０のエントランス部１１で滞在用部屋の利用者を受け付けるためのフロー（以下、受付フロー）と、が実施される。以下、それぞれのフローについて説明する。
【００５６】
申込みフローは、管理サーバ３０とユーザ端末４０とが通信することによって行われる。また、申込みフローは、滞在用部屋の利用者が部屋利用を申し込む段階、厳密には部屋利用開始日の前日までに行われ、図９に図示の流れに従って進められる。図９は、申込みフローの流れを示す図である。図９を参照しながら説明すると、申込みフローでは、先ず、滞在用部屋の利用者がユーザ端末４０を通じて滞在用部屋の利用を申し込む。つまり、申込みフローは、ユーザ端末４０が滞在用部屋の利用を申し込むために行われる入力操作を受け付けるところから始まる（Ｓ００１）。
【００５７】
より詳しく説明すると、ステップＳ００１において、滞在用部屋の利用者（厳密には利用予定者）は、ユーザ端末４０を操作して運営会社のホームページを閲覧し、同ホームページに設けられた申込みフォーム（不図示）を通じて滞在用部屋の利用を申し込む。この際、滞在用部屋の利用者は、部屋利用の申込みに必要な情報を上記の申込みフォームに入力し、例えば、自分の名前や部屋の利用期間等を入力する。
【００５８】
ユーザ端末４０は、上記の入力操作を受け付けることで入力情報（第二情報）を取得する。そして、ユーザ端末４０は、取得した入力情報を管理サーバ３０に向けて送信する（Ｓ００２）。管理サーバ３０は、外部通信網を経由して入力情報をユーザ端末４０から受信する（Ｓ００３）。
【００５９】
その後、管理サーバ３０は、受信した情報を滞在用部屋の利用者に関する情報として登録する。この際、管理サーバ３０は、受信情報から滞在用部屋の利用期間（すなわち、滞在期間）を特定した上で、当該利用期間に応じた滞在用部屋を選定する（Ｓ００４）。具体的には、滞在期間が１週間程度であれば、１階にあるウィークリーマンション型の部屋を選定し、滞在期間が１カ月〜数カ月程度であれば、２階にあるマンスリーマンション型の部屋を選定する。なお、このとき、特定した滞在期間が１週間程度ではあるが、１階にある部屋が既に満室であるならば、２階にある部屋を選定してもよい。同様に、特定した滞在期間が１カ月〜数カ月程度ではあるが、２階にある部屋が既に満室である場合には、１階にある部屋を選定してもよい。
【００６０】
そして、管理サーバ３０（厳密には記憶部３２）は、滞在用部屋の利用者に関して登録した情報を記憶する（Ｓ００５）。以上までのステップが完了した時点で申込みフローが終了する。
【００６１】
次に、受付フローについて説明する。受付フローは、管理サーバ３０が建物１０のエントランス部１１に設置された機器（具体的には、帳簿読取装置１５、ロッカー１６、インターホン１７及びカードリーダ１９）と連携することで行われる。また、受付フローは、滞在用部屋の利用者が部屋利用開始日に建物１０のエントランス部１１に来た際に行われ、図１０に図示の流れに従って進められる。図１０は、受付フローの流れを示す図である。
【００６２】
受付フローの具体的な手順を説明すると、受付フローは、滞在用部屋の利用者が建物１０のエントランス部１１に来てインターホン１７を押すと、これをトリガーとして開始される。一方、エントランス部１１に来た滞在用部屋の利用者は、エントランス部１１において受付部１４に向かい、受付部１４上の帳簿Ｂに必要事項（第一情報）を記載する。その後、上記利用者は、帳簿読取装置１５を操作して当該帳簿読取装置１５に帳簿Ｂの文書を読み取らせる。これにより、帳簿読取装置１５は、帳簿Ｂの文書の読み取りデータを取得し、当該データを管理サーバ３０に伝送する。
【００６３】
管理サーバ３０（厳密には取得部３１）は、読取データを受信すると、当該データを解析して帳簿Ｂに記載された文書（すなわち、第一情報）を取得する（Ｓ０１１、Ｓ０１２）。その後、管理サーバ３０（厳密には判定部３３）は、取得した帳簿Ｂの文書（第一情報）と、滞在用部屋の利用者が部屋利用の申込み時に入力して事前に記憶された情報（第二情報）とを参照し、エントランス部１１に来た滞在用部屋の利用者が本館部１２へ進むのを許可するか否かを判定する（Ｓ０１３）。具体的には、取得した帳簿Ｂの文書と同じ情報が既に登録情報として記憶されているか否かを判定する。
【００６４】
そして、滞在用部屋の利用者が本館部１２へ進むのを許可すると判定した場合、管理サーバ３０は、ステップＳ０１４及びステップＳ０１５を実施する。他方、滞在用部屋の利用者が本館部１２へ進むのを許可しないと判定した場合、受付フローが終了する。
【００６５】
ステップＳ０１４において、管理サーバ３０（厳密には記憶部３２）は、ステップＳ０１２で取得した帳簿Ｂの文書（第一情報）を、申込みフローで記憶した入力情報（第二情報）と紐付けて記憶する（Ｓ０１４）。詳しく説明すると、記憶部３２は、本館部１２へ進むのを許可された滞在用部屋の利用者が帳簿Ｂに記載した文書を読み取ることで取得した第一情報を、当該利用者に関する第二情報と紐付けて記憶する。このように本館部１２へ進むのを許可された滞在用部屋の利用者について第一情報と第二情報を紐付けて記憶しておけば、以後に同じ利用者が建物１０のエントランス部１１に再び来たときに、受付フローを簡略化して実施することが可能となる。つまり、第一情報及び第二情報の双方が記憶された利用者については、本館部１２への進入を既に許可されているので、以後に滞在用部屋を再び利用する際に上記の判定（ステップＳ０１３）を省略することができる。
【００６６】
ステップＳ０１５において、管理サーバ３０（厳密には処理実行部３４）は、鍵渡し処理を実行し、ロッカー開錠用の暗証番号を滞在用部屋の利用者に通知するために当該暗証番号を不図示のディスプレイに表示させる。そして、エントランス部１１に来た滞在用部屋の利用者は、通知された暗証番号を不図示の入力部に入力することでロッカー１６のボックスを開く。この結果、当該ボックス内に収容されたカードキーが滞在用部屋の利用者に渡される。その後、カードキーを入手した利用者は、カードリーダ１９にカードキーを読み取らせることで電子錠１３ａを開錠し、ドア１３を通過して本館部１２へ進む。
【００６７】
本館部１２へ進んだ利用者は、利用対象の部屋（すなわち、滞在用部屋）まで進んだ後、その部屋の扉にてカードキーを操作して当該扉を開錠した上で入室する。このように本実施形態では、カードキーが電子錠１３ａの開錠手段としてのエントランスキーであるとともに、滞在用部屋のルームキーとしても機能している。このため、エントランスキー及びルームキーをまとめて滞在用部屋の利用者に渡すことが可能となり、エントランスキー及びルームキーを別々に渡す場合に比べて、部屋利用に係る諸手続がより簡略化されることになる。
【００６８】
なお、ルームキーとして機能するカードキーは、滞在用部屋の利用者が部屋利用の申込み時に指定した部屋利用期間に応じた部屋２１、より具体的には申込みフローのステップＳ００４にて管理サーバ３０により選定された部屋２１に固有のキーとなっている。
【００６９】
以上までに説明してきたように、本実施形態に係る利用者管理システムＳによれば、エントランス部１１に居る滞在用部屋の利用者が事前に登録された者であることを条件として、その者にカードキーを適切に渡すことが可能となる。また、カードキーを渡すための一連のステップが無人で行われるので、カードキーの受け渡しがスムーズに行われるようになる。
【００７０】
＜＜その他の実施形態＞＞
以上までに説明してきた実施形態は、本発明の建物及び利用者管理方法に関する具体例の一つに過ぎない。本発明の建物及び利用者管理方法の具体的構成については、上記の実施形態に限られず他にも考えられる。
【００７１】
例えば、上記の実施形態では、滞在用部屋の利用者が建物１０のエントランス部１１に来た際に帳簿Ｂに必要事項を記入し、取得部３１が帳簿Ｂの文書を読み取って利用者に関する情報（第一情報）を取得することとした。そして、上記の実施形態では、取得した帳簿Ｂの文書と、滞在用部屋の利用者に関して予め登録された情報（第二情報）とを照合し、両者が合致している場合に、滞在用部屋の利用者が建物１０の本館部１２に入るのを許可することとした。ただし、これに限定されるものではなく、滞在用部屋の利用者が建物１０のエントランス部１１にて必要事項を記入する際、エントランス部１１に設置されたタッチパネル（不図示）を通じて入力し、当該タッチパネルから管理サーバ３０に入力情報を送信する形でもよい。あるいは、音声認識機構をエントランス部１１に設置し、エントランス部１１に来た滞在用部屋の利用者が必要事項を音声にて入力し、上記の音声認識機構が当該音声を解析し、その解析結果（すなわち、音声の内容）を送信する形でもよい。
【００７２】
また、滞在用部屋の利用者が建物１０の本館部１２に入るのを許可するか否かを判定するにあたり、顔認証を採用してもよい。つまり、滞在用部屋の利用者が建物１０のエントランス部１１に来た際に当該利用者の顔画像（第一情報に相当）を取得すると共に、事前に当該利用者の顔画像（第二情報に相当）を登録して記憶しておく。そして、双方の顔画像を照合し、一致している場合にのみ本館部１２への進入を許可してもよい。
【００７３】
また、上記の実施形態では、部屋利用者がエントランス部１１から本館部１２に進む際に開錠する錠機構が電子錠１３ａであり、開錠手段がカードキーであることとした。ただし、これに限定されるものではなく、錠機構が一般的な錠前であり、開錠手段が一般的な鍵であってもよい。
【符号の説明】
【００７４】
１０  建物
１１  エントランス部（入口部）
１２  本館部（奥部）
１３  ドア、１３ａ  電子錠
１４  受付部、１５  帳簿読取装置
１６  ロッカー、１７  インターホン
１８  防犯カメラ、１９  カードリーダ
２０  共用廊下、２１  部屋、２２  階段
２３  太陽光発電装置、２４  蓄電池
３０  管理サーバ、３１  取得部
３２  記憶部、３３  判定部
３４  処理実行部
４０  ユーザ端末
Ｂ  帳簿
Ｓ  利用者管理システム
【図１】
2018049470.tif 000003
【図２】
2018049470.tif 000004
【図３】
2018049470.tif 000005
【図４】
2018049470.tif 000006
【図５】
2018049470.tif 000007
【図６】
2018049470.tif 000008
【図７】
2018049470.tif 000009
【図８】
2018049470.tif 000010
【図９】
2018049470.tif 000011
【図１０】
2018049470.tif 000012
【手続補正書】
【提出日】平成29年9月22日(2017.9.22)
【手続補正１】
【補正対象書類名】特許請求の範囲
【補正対象項目名】請求項１
【補正方法】変更
【補正の内容】
【請求項１】
部屋を複数備えると共に、該部屋の利用者の出入を管理する利用者管理システムが導入された建物であって、
複数の前記部屋には、居住契約期間だけ居住可能な居住用部屋と、前記居住契約期間よりも短い滞在契約期間だけ滞在可能な滞在用部屋とが含まれており、
前記建物の入口部に設置され、利用者が前記部屋を利用するために前記建物中、前記入口部よりも奥側に位置する奥部へ進む際に開錠される錠機構が設けられ、
該錠機構は、利用者が利用する前記部屋の種類に応じた開錠形式にて開錠され、
前記利用者管理システムは、
前記入口部に来た前記滞在用部屋の利用者に関する第一情報を取得する取得部と、
前記滞在用部屋の利用者に関して予め登録された第二情報を記憶する記憶部と、
前記第二情報から前記滞在用部屋の利用期間を特定し、該利用期間に応じた前記滞在用部屋を選定する選定部と、
前記取得部が取得した前記第一情報と、前記記憶部に記憶された前記第二情報とを参照し、前記入口部に来た前記滞在用部屋の利用者が前記奥部へ進むのを許可するか否かを判定する判定部と、
前記滞在用部屋の利用者が前記奥部へ進むのを許可すると前記判定部が判定したときに、前記滞在用部屋に応じた前記開錠形式にて前記錠機構を開錠するために必要な手段を前記滞在用部屋の利用者に渡すための処理を実行する処理実行部と、を有することを特徴とする建物。
【手続補正２】
【補正対象書類名】特許請求の範囲
【補正対象項目名】請求項８
【補正方法】変更
【補正の内容】
【請求項８】
複数の部屋を備える建物に導入された利用者管理システムにより、前記部屋の利用者の出入を管理する利用者管理方法であって、
複数の前記部屋には、居住契約期間だけ居住可能な居住用部屋と、前記居住契約期間よりも短い滞在契約期間だけ滞在可能な滞在用部屋とが含まれており、
前記建物の入口部に設置され、利用者が前記部屋を利用するために前記建物中、前記入口部よりも奥側に位置する奥部に進む際に開錠される錠機構が設けられ、
該錠機構は、利用者が利用する前記部屋の種類に応じた開錠形式にて開錠され、
前記利用者管理システムにより、
前記入口部に来た前記滞在用部屋の利用者に関する第一情報を取得し、
前記滞在用部屋の利用者に関して予め登録された第二情報を記憶し、
前記第二情報から前記滞在用部屋の利用期間を特定し、該利用期間に応じた前記滞在用部屋を選定し、
取得した前記第一情報と、記憶された前記第二情報とを参照し、前記入口部に来た前記滞在用部屋の利用者が前記奥部へ進むのを許可するか否かを判定し、
前記滞在用部屋の利用者が前記奥部へ進むのを許可すると判定したときに、前記滞在用部屋に応じた前記開錠形式にて前記錠機構を開錠するために必要な手段を前記滞在用部屋の利用者に渡すための処理を実行することを特徴とする利用者管理方法。
【手続補正３】
【補正対象書類名】明細書
【補正対象項目名】０００７
【補正方法】変更
【補正の内容】
【０００７】
前記課題は、本発明の建物によれば、部屋を複数備えると共に、該部屋の利用者の出入を管理する利用者管理システムが導入された建物であって、複数の前記部屋には、居住契約期間だけ居住可能な居住用部屋と、前記居住契約期間よりも短い滞在契約期間だけ滞在可能な滞在用部屋とが含まれており、前記建物の入口部に設置され、利用者が前記部屋を利用するために前記建物中、前記入口部よりも奥側に位置する奥部へ進む際に開錠される錠機構が設けられ、該錠機構は、利用者が利用する前記部屋の種類に応じた開錠形式にて開錠され、前記利用者管理システムは、前記入口部に来た前記滞在用部屋の利用者に関する第一情報を取得する取得部と、前記滞在用部屋の利用者に関して予め登録された第二情報を記憶する記憶部と、前記第二情報から前記滞在用部屋の利用期間を特定し、該利用期間に応じた前記滞在用部屋を選定する選定部と、前記取得部が取得した前記第一情報と、前記記憶部に記憶された前記第二情報とを参照し、前記入口部に来た前記滞在用部屋の利用者が前記奥部へ進むのを許可するか否かを判定する判定部と、前記滞在用部屋の利用者が前記奥部へ進むのを許可すると前記判定部が判定したときに、前記滞在用部屋に応じた前記開錠形式にて前記錠機構を開錠するために必要な手段を前記滞在用部屋の利用者に渡すための処理を実行する処理実行部と、を有することにより解決される。
【手続補正４】
【補正対象書類名】明細書
【補正対象項目名】００１５
【補正方法】変更
【補正の内容】
【００１５】
また、前述の課題は、本発明の利用者管理方法によれば、複数の部屋を備える建物に導入された利用者管理システムにより、前記部屋の利用者の出入を管理する利用者管理方法であって、複数の前記部屋には、居住契約期間だけ居住可能な居住用部屋と、前記居住契約期間よりも短い滞在契約期間だけ滞在可能な滞在用部屋とが含まれており、前記建物の入口部に設置され、利用者が前記部屋を利用するために前記建物中、前記入口部よりも奥側に位置する奥部に進む際に開錠される錠機構が設けられ、該錠機構は、利用者が利用する前記部屋の種類に応じた開錠形式にて開錠され、前記利用者管理システムにより、前記入口部に来た前記滞在用部屋の利用者に関する第一情報を取得し、前記滞在用部屋の利用者に関して予め登録された第二情報を記憶し、前記第二情報から前記滞在用部屋の利用期間を特定し、該利用期間に応じた前記滞在用部屋を選定し、取得した前記第一情報と、記憶された前記第二情報とを参照し、前記入口部に来た前記滞在用部屋の利用者が前記奥部へ進むのを許可するか否かを判定し、前記滞在用部屋の利用者が前記奥部へ進むのを許可すると判定したときに、前記滞在用部屋に応じた前記開錠形式にて前記錠機構を開錠するために必要な手段を前記滞在用部屋の利用者に渡すための処理を実行することにより解決される。
上記の方法であれば、建物が有する複数の部屋の一部を滞在用部屋として利用する際、その利用者に開錠手段をスムーズ且つ適切に渡すことが可能となる。